(57)【要約】【課題】現場で柱間にブレースをたすき掛けに取付けるに当たって、２つの長尺のブレースをたすき掛けにした状態で簡単に隣接する柱間に位置決めして取付けることができる。【解決手段】上下の横枠１の両端部間にブレース２をたすき掛けに張設してブレースユニット３を形成する。隣接する柱４の対向面に突出部５を突設し、ブレースユニット３の上下の横枠１の少なくとも一方の横枠１の両端部をそれぞれ突出部５に載設すると共に、上下の横枠１の両端部を固着具６により隣接する柱４に固着する。【選択図】　　　　図１
2004060254.tif 000002
【特許請求の範囲】
【請求項１】
上下の横枠の両端部間に２本のブレースをたすき掛けに張設してブレースユニットを形成し、隣接する柱の対向面に突出部を突設し、ブレースユニットの上下の横枠の少なくとも一方の横枠の両端部をそれぞれ突出部に載設すると共に、上下の横枠の両端部を固着具により隣接する柱に固着して成ることを特徴とするブレースユニットの取付け構造。
【請求項２】
上下の横枠の両端部に連結金具を固着すると共にブレースの端部を連結金具に固着し、連結金具に載置部を設け、両端部に連結金具を設けた上の横枠を下の横枠に対して上下対称とし、上の横枠に設けた連結金具の載置部を突出部に載設すると共に各連結金具をそれぞれ柱に固着して成ることを特徴とする請求項１記載のブレースユニットの取付け構造。
【発明の詳細な説明】
【０００１】
【発明の属する技術分野】
本発明は、柱間にブレースユニットを取付けるための技術に関するものである。
【０００２】
【従来の技術】
従来から隣合う柱間にブレースを取付けて耐力壁を構成するに当たっては、建築現場で柱、梁を施工して軸組みを形成し、耐力壁を構成しようとする部分における柱間に長尺の棒状をしたブレースを斜めに手で保持した状態で該ブレースの一端部の取付け金具に設けた孔と一方の柱の上端部又は下端部に設けた取付け金具の孔とを位置合わせし、この位置合わせ状態でブレースを保持したままブレースの一端部の取付け金具に設けた孔と柱に設けた取付け金具の孔とにボルトを挿入してナットを螺合し、その後、ブレースの他端部の取付け金具に設けた孔と他方の柱の下端部又は上端部に設けた取付け金具の孔とを位置合わせし、ボルトを挿入してナットを螺合することで１つのブレースを斜めにして取付け、次に、他の１つのブレースを上記とは逆に傾斜するようにして同様にして斜めにして取付け、両ブレースを隣接する柱にたすき掛けに取付けていた。
【０００３】
ところが、このような従来例にあっては、長尺の棒状のブレースを１つ１つ別々に斜めに手で支持した状態で位置決めして取付ける作業をしなければならず、施工が面倒であった。
【０００４】
【発明が解決しようとする課題】
本発明は上記の点に鑑みてなされたものであり、現場で柱間にブレースをたすき掛けに取付けるに当たって、２つの長尺のブレースをたすき掛けにした状態で簡単に隣接する柱間に位置決めして取付けることができるブレースユニットの取付け構造を提供することを課題とするものである。
【０００５】
【課題を解決するための手段】
上記課題を解決するために本発明に係るブレースユニットの取付け構造は、上下の横枠１の両端部間に２本のブレース２をたすき掛けに張設してブレースユニット３を形成し、隣接する柱４の対向面に突出部５を突設し、ブレースユニット３の上下の横枠１の少なくとも一方の横枠１の両端部をそれぞれ突出部５に載設すると共に、上下の横枠１の両端部を固着具６により隣接する柱４に固着して成ることを特徴とするものである。このような構成とすることで、現場で隣合う柱４間にたすき掛けにする２本のブレース２の取付けに当たって、２本のブレース２をたすき掛けして一つのユニットにしたブレースユニット３を隣合う柱４間に配置して横枠１の両端部を隣接する柱４に設けた突出部５に載置することで、簡単に隣合う柱４間の所定の位置にブレース２をたすきがけに位置決めした状態で仮支持でき、この位置決め仮支持した状態で柱４に２本のブレース２を簡単に取付けることができるものである。
【０００６】
また、上下の横枠１の両端部に連結金具７を固着すると共にブレース２の端部を連結金具７に固着し、連結金具７に載置部８を設け、両端部に連結金具７を設けた上の横枠１を下の横枠１に対して上下対称とし、上の横枠１に設けた連結金具７の載置部８を突出部５に載設すると共に各連結金具７をそれぞれ柱４に固着することが好ましい。このような構成とすることで、ブレースユニット３を上下逆にしても位置決め仮支持することができ、ブレースユニット３の取付けに当たって、上下方向が特定されず、施工性が向上するものである。
【０００７】
【発明の実施の形態】
以下、本発明を添付図面に示す実施形態に基づいて説明する。
【０００８】
図６、図７には本発明のブレースユニット３が示してある。ブレースユニット３は上下の横枠１の両端部に２本のブレース２をたすき掛けに張設して構成してある。実施形態においては、鋼管等により構成された金属製の上下の横枠１の両端部に連結金具７を固着し、たすき掛けにした２本のブレース２の両端部は上下の横枠１の両端部の連結金具７に固着してある。
【０００９】
また、上下の横枠１の両端部にたすき掛けする２本のブレース２は図８に示すようなもので、ブレース２は金属棒２ａをターンバックル２ｂに伸縮自在に連結して構成したものであり、２本の金属棒２ａのターンバックル２ｂで連結した方と反対側の端部にはそれぞれ固定板１０が固着してある。
【００１０】
連結金具７は水平断面コ字状をした縦長のコ字状部７ａの上下方向の一端部に横片７ｂを固着一体化して構成してあり、横片７ｂの一辺部が横枠１と平行方向で且つ横枠１から離れる方向に僅かに突出している。この突出長さは後述の柱４の側面に固着するプレート９の肉厚と同じ長さとなっている。コ字状部７ａ内には横枠１の端部が直交する方向から嵌め込んで固着してあり、また、コ字状部７ａの横片７ｂを固着した部分と横枠１を嵌め込み固着した部分との間にブレース２の端部に設けた固定板１０を斜めに差し込んで固着してある。上の横枠１の両端部に設けた連結金具７の横片７ｂと下の横枠１の両端部に設けた連結金具７の横片７ｂとは上下に対向しており、この横片７ｂは後述の柱４に設けた突出部５に載置するための載置部８となっている。また、縦長のコ字状部７ａの横片７ｂと反対側の端部は横枠１の嵌め込み固着部分よりも横片７ｂと反対側に突出しており、この突出部分が柱４と固着するための柱固着部１２となっており、柱固着部１２に挿入孔１３が設けてある。また、各横片７ｂにはタップ切りをしたりナットを溶接したりしてナット部１１’が設けてあって、この部分も柱４と固着するための柱固着部１２’となっている。したがって、本実施形態において横片７ｂは載置部８と柱固着部１２’とを兼用している。
【００１１】
上記のように両端部にそれぞれ連結金具７を設けた上の横枠１と下の横枠１とは上下対称となっている。
【００１２】
上記のように上下の横枠１の両端部に２本のブレース２をたすき掛けに張設したブレースユニット３はあらかじめ工場で組み立て形成して建築現場に運ぶものであり、建築現場においては柱４、梁１４を施工して建物の軸組みを形成し、耐力壁を構成しようとする部分における柱４間に上記ブレースユニット３を配置して取付けるようになっている。
【００１３】
ここで、耐力壁を構成しようとする部分における隣合う柱４は図９に示すようなもので互いの柱４の対向面の上下にそれぞれ突出部５を突設してある。この突出部５は縦断面Ｕ字状をしており、突出部５には挿入孔１６が設けてある。また、隣合う柱４の対向面の上の突出部５の上方位置及び下の突出部５の下方位置にはそれぞれプレート９が固着してあり、該プレート９にはタップ切りをしたりナットを溶接したりしてナット部１１が設けてある。
【００１４】
しかして、耐力壁を構成しようとする部分における隣合う柱４間にブレースユニット３を取付けるに当たっては、まず、図５に示すようにブレースユニット３を隣合う柱４間に配置して上の横枠１の両端部に設けた連結金具７の載置部８となる横片７ｂを隣合う柱４の対向面の上部に突設した突出部５にそれぞれ載設してブレースユニット３を隣合う柱４間の所定位置に位置決めした状態で保持できる。このようにブレースユニット３の上の横枠１の両端部に設けた連結金具７の載置部８となる横片７ｂを隣合う柱４の対向面の上部に突設した突出部５にそれぞれ載設すると、下の横枠１の両端部に設けた連結金具７の横片７ｂが隣合う柱４の対向面の下部に突設した突出部５の下面に当接するものであり、この状態で柱固着具１２’となる横片７ｂのナット部１１’が突出部５に設けた挿入孔１６に連通すると共に柱固着部１２の挿入孔１３が柱４に固着したプレート９のナット部１１に連通する。
【００１５】
このようにブレースユニット３を隣合う柱４間に配置して位置決め保持した状態で、挿入孔１６から固着具６を構成するボルトを挿入してナット部１１’に螺合すると共に挿入孔１３から固着具６を構成するボルトを挿入してナット部１１に螺合することで図１、図３、図４に示すようにブレース２をたすき掛けにしたブレースユニット３を隣合う柱４に取付け、耐力壁を構成するものである。
【００１６】
この場合、ブレースユニット３は上下の横枠１が上下に対称となっているので、ブレースユニット３を上下逆にして柱４間に配置しても上記と同様にして隣合う柱４に取付けることができるものである。
【００１７】
なお、図１は下階の柱４間にブレースユニット３を取付けた例を示し、図１中１５は基礎であって、柱４は基礎１５上に立設してあるが、上階の柱４間にブレースユニット２を取付けてもよく、この場合には上階の柱４は下階の梁１４の上に立設し、該上階の柱４の上端部間に上階の梁１４が架設してある。
【００１８】
【発明の効果】
上記のように本発明の請求項１記載の発明にあっては、上下の横枠の両端部間にブレースをたすき掛けに張設してブレースユニットを形成し、隣接する柱の対向面に突出部を突設し、ブレースユニットの上下の横枠の少なくとも一方の横枠の両端部をそれぞれ突出部に載設すると共に、上下の横枠の両端部を固着具により隣接する柱に固着するので、現場で隣合う柱間にたすき掛けにする２本のブレースの取付けに当たって、２本のブレースをたすき掛けして一つのユニットにしたブレースユニットを隣合う柱間に配置して横枠の両端部を隣接する柱に設けた突出部に載置することで、簡単に隣合う柱間の所定の位置にブレースをたすきがけに位置決めした状態で仮支持でき、この位置決め仮支持した状態で柱に２本のブレースを簡単に取付けることができ、従来のように長尺のブレースを１本ずつ斜めに手で支持して位置決めしながらボルトで柱に取付けるものに比べてたすき掛けした２本のブレースを同時に簡単に位置決めして仮保持でき、ボルトによる取付け作業が簡単且つ容易に行えるものである。
【００１９】
また、請求項２記載の発明にあっては、上記請求項１記載の発明の効果に加えて、上下の横枠の両端部に連結金具を固着すると共にブレースの端部を連結金具に固着し、連結金具に載置部を設け、載置部を突出部に載設すると共に連結金具を柱に固着するので、ブレースユニットを上下逆にしても位置決め仮支持することができ、ブレースユニットの取付けに当たって、上下方向が特定されず、したがって現場における施工性が向上するものである。
【図面の簡単な説明】
【図１】本発明の正面図である。
【図２】同上の側面図である。
【図３】図１のＡ部拡大正面図である。
【図４】図１のＢ部拡大正面図である。
【図５】同上の隣合う柱間にブレースユニットを仮保持して位置決めした状態を示す正面図である。
【図６】同上に用いるブレースユニットの正面図である。
【図７】同上の平面図である。
【図８】同上に用いるブレースを示し、（ａ）は正面図であり、（ｂ）は側面図である。
【図９】（ａ）は同上に用いる柱の一部切欠した正面図であり、（ｂ）は一部切欠した側面図である。
【符号の説明】
１　横枠
２　ブレース
３　ブレースユニット
４　柱
５　突出部
６　固着具
７　連結金具
８　載置部
【図１】
2004060254.tif 000003
【図２】
2004060254.tif 000004
【図３】
2004060254.tif 000005
【図４】
2004060254.tif 000006
【図５】
2004060254.tif 000007
【図６】
2004060254.tif 000008
【図７】
2004060254.tif 000009
【図８】
2004060254.tif 000010
【図９】
2004060254.tif 000011